(57)【特許請求の範囲】
【請求項１】
蛍光灯インバータ安定器を含む２種類以上の方式の異なる電力供給部に接続可能な照明灯であって、
発光ダイオードと、
前記電力供給部の一対のソケットの一方に装着される、一対の端子を備えた第１の口金と、
前記電力供給部の一対のソケットの他方に装着される、一対の端子を備えた第２の口金と、
前記第１の口金の前記一対の端子間に並列接続された第１の抵抗及び第１のコンデンサと、
前記第２の口金の前記一対の端子間に並列接続された第２の抵抗及び第２のコンデンサと、
２つの入力部を備え、前記第１の口金の前記一対の端子から供給される交流電圧を整流し、整流後の電圧を前記発光ダイオードに供給する第１の整流回路と、
２つの入力部を備え、前記第２の口金の前記一対の端子から供給される交流電圧を整流し、整流後の電圧を前記発光ダイオードに供給する第２の整流回路と、
前記第１の口金の前記一対の端子の何れか一方と前記第１の整流回路の何れか一方の入力部との間、及び前記第２の口金の前記一対の端子の何れか一方と前記第２の整流回路の何れか一方の入力部との間に挿入された、ノイズを低減するフィルタ回路と、
前記フィルタ回路の入力部に設けられた低周波通過フィルタと、を有し、
前記低周波通過フィルタは、前記蛍光灯インバータ安定器から供給される交流電圧を遮断すると共に、商用交流電源から供給される交流電圧を通過させることを特徴とする照明灯。
【請求項２】
前記低周波通過フィルタは、インダクタを含んで構成されていることを特徴とする請求項１記載の照明灯。
【請求項３】
前記第１の口金の前記フィルタ回路と接続されている端子に、前記蛍光灯インバータ安定器から供給される交流電圧は、前記第１のコンデンサを経由して前記第１の整流回路に供給され、
前記第２の口金の前記フィルタ回路と接続されている端子に、前記蛍光灯インバータ安定器から供給される交流電圧は、前記第２のコンデンサを経由して前記第２の整流回路に供給されることを特徴とする請求項１又は２記載の照明灯。
【請求項４】
前記第１のコンデンサ及び前記第２のコンデンサの容量は０．１μＦ以上であることを特徴とする請求項１乃至３の何れか一項記載の照明灯。
【請求項５】
前記第１のコンデンサ及び前記第２のコンデンサの容量は１μＦ以下であることを特徴とする請求項４記載の照明灯。
【請求項６】
前記第１の抵抗及び前記第２の抵抗は、蛍光灯のフィラメントに相当するインピーダンスを生成することを特徴とする請求項１乃至５の何れか一項記載の照明灯。
【請求項７】
請求項１乃至６の何れか一項記載の照明灯と、
前記照明灯を装着する灯具と、を備えていることを特徴とする照明装置。
【請求項８】
蛍光灯インバータ安定器を含む２種類以上の方式の異なる電力供給部に接続可能な照明灯に用いられる点灯制御回路であって、
発光ダイオードと、
前記電力供給部の一対のソケットの一方に装着される、前記照明灯の一対の端子を備えた第１の口金の前記一対の端子間に並列接続された第１の抵抗及び第１のコンデンサと、
前記電力供給部の一対のソケットの他方に装着される、前記照明灯の一対の端子を備えた第２の口金の前記一対の端子間に並列接続された第２の抵抗及び第２のコンデンサと、
２つの入力部を備え、前記第１の口金の前記一対の端子から供給される交流電圧を整流し、整流後の電圧を前記発光ダイオードに供給する第１の整流部と、
２つの入力部を備え、前記第２の口金の前記一対の端子から供給される交流電圧を整流し、整流後の電圧を前記発光ダイオードに供給する第２の整流部と、
前記第１の口金の前記一対の端子の何れか一方と前記第１の整流部の何れか一方の入力部との間、及び前記第２の口金の前記一対の端子の何れか一方と前記第２の整流部の何れか一方の入力部との間に挿入された、ノイズを低減するフィルタ部と、
前記フィルタ部の入力部に設けられた低周波通過フィルタと、を有し、
前記低周波通過フィルタは、前記蛍光灯インバータ安定器から供給される交流電圧を遮断すると共に、商用交流電源から供給される交流電圧を通過させることを特徴とする点灯制御回路。
【発明の詳細な説明】
【技術分野】
【０００１】
本発明は、照明灯、照明装置、及び点灯制御回路に関する。
【背景技術】
【０００２】
近年、低消費電力や長寿命等の特長を有する発光ダイオード（Light Emitting Diode、ＬＥＤ）を用いた照明灯（以降、ＬＥＤ照明灯とする場合がある）が注目されている。蛍光灯インバータ安定器、商用交流電源、蛍光灯グロー安定器、又は蛍光灯ラピッド安定器の出力を入力とするＬＥＤ照明灯もそのうちの１つであり、従来の蛍光灯と置き換えて用いることができる。
【０００３】
上記のようなＬＥＤ照明灯において、商用交流電源、蛍光灯グロー安定器、又は蛍光灯ラピッド安定器の出力を入力とする場合には、ＥＭＩ規格を満足するために、コンデンサやコイルを備えたフィルタ回路を搭載することが一般的である。フィルタ回路の入力部のライン間に接続されるコンデンサ（所謂Ｘコンデンサ）の容量は、０．１μＦ以上の比較的大容量に設定される場合が多い。
【発明の概要】
【発明が解決しようとする課題】
【０００４】
しかしながら、蛍光灯インバータ安定器の中には、起動時に異常検出を行い、異常が検出されると保護動作により蛍光灯を不点灯とするものがある。このような蛍光灯インバータ安定器に蛍光灯に置き換えてフィルタ回路を搭載したＬＥＤ照明灯を取り付けると、起動時にフィルタ回路に不要な電流が流れ、蛍光灯インバータ安定器の保護動作によりＬＥＤ照明灯が不点灯となる場合があった。
【０００５】
本発明は、上記の点に鑑みてなされたものであり、発光ダイオードを備えた照明灯において、ノイズを低減するフィルタ回路を搭載すると共に、蛍光灯インバータ安定器と接続した際に安定して点灯させることを課題とする。
【課題を解決するための手段】
【０００６】
本照明灯は、蛍光灯インバータ安定器を含む２種類以上の方式の異なる電力供給部に接続可能な照明灯であって、発光ダイオードと、前記電力供給部の一対のソケットの一方に装着される、一対の端子を備えた第１の口金と、前記電力供給部の一対のソケットの他方に装着される、一対の端子を備えた第２の口金と、前記第１の口金の前記一対の端子間に並列接続された第１の抵抗及び第１のコンデンサと、前記第２の口金の前記一対の端子間に並列接続された第２の抵抗及び第２のコンデンサと、２つの入力部を備え、前記第１の口金の前記一対の端子から供給される交流電圧を整流し、整流後の電圧を前記発光ダイオードに供給する第１の整流回路と、２つの入力部を備え、前記第２の口金の前記一対の端子から供給される交流電圧を整流し、整流後の電圧を前記発光ダイオードに供給する第２の整流回路と、前記第１の口金の前記一対の端子の何れか一方と前記第１の整流回路の何れか一方の入力部との間、及び前記第２の口金の前記一対の端子の何れか一方と前記第２の整流回路の何れか一方の入力部との間に挿入された、ノイズを低減するフィルタ回路と、前記フィルタ回路の入力部に設けられた低周波通過フィルタと、を有し、前記低周波通過フィルタは、前記蛍光灯インバータ安定器から供給される交流電圧を遮断すると共に、商用交流電源から供給される交流電圧を通過させることを要件とする。
【発明の効果】
【０００７】
開示の技術によれば、発光ダイオードを備えた照明灯において、ノイズを低減するフィルタ回路を搭載すると共に、蛍光灯インバータ安定器と接続した際に安定して点灯させることができる。
【図面の簡単な説明】
【０００８】
【図１】第１の実施の形態に係る照明装置の外観を例示する斜視図である。
【図２】第１の実施の形態に係る照明灯を例示する横断面図である。
【図３】第１の実施の形態に係る照明灯の回路ブロックを例示する図である。
【図４】第１の実施の形態の変形例１に係る照明灯の回路ブロックを例示する図である。
【図５】第１の実施の形態の変形例２に係る照明灯の回路ブロックを例示する図である。
【図６】第１の実施の形態の変形例３に係る照明灯の回路ブロックを例示する図である。
【図７】第１の実施の形態の変形例４に係る照明灯の回路ブロックを例示する図である。
【図８】第１の実施の形態に係る照明灯の主要な回路の結線を例示する図である。
【図９】第１の実施の形態に係る照明灯の給電経路を説明する図（その１）である。
【図１０】第１の実施の形態に係る照明灯の給電経路を説明する図（その２）である。
【図１１】第１の実施の形態に係る照明灯の給電経路を説明する図（その３）である。
【図１２】第１の実施の形態に係る照明灯の給電経路を説明する図（その４）である。
【図１３】第１の実施の形態に係る照明灯の給電経路を説明する図（その５）である。
【発明を実施するための形態】
【０００９】
以下、図面を参照して発明を実施するための形態について説明する。各図面において、同一構成部分には同一符号を付し、重複した説明を省略する場合がある。
【００１０】
〈第１の実施の形態〉
図１は、第１の実施の形態に係る照明装置の外観を例示する斜視図である。図１を参照するに、照明装置１は、照明灯２と、照明灯２を着脱可能に装着する灯具５とを有する。
【００１１】
照明灯２は、透光部２０と、口金２１及び２２とを有する。透光部２０は、内蔵された光源（後述のＬＥＤモジュール２７）から出射された光を透過する樹脂製やガラス製等の部材からなり、一端部に設けられた口金２１及び他端部に設けられた口金２２により封止されている。透光部２０は、例えば、直管形とすることができる。
【００１２】
口金２１（第１の口金）は、一対の凸型の端子２１１及び２１２を備えている。同様に、口金２２（第２の口金）は、一対の凸型の端子２２１及び２２２を備えている。但し、端子の一部は図１では図示されていない（後述の図８参照）。なお、透光部２０の内部には、電気回路が設けられている（後述の図３参照）。
【００１３】
灯具５は、蛍光灯安定器５０（図８参照）と、照明灯２を着脱可能に装着する一対のソケット５１及び５２とを有し、商用交流電源と接続可能に構成されている。商用交流電源の周波数は、例えば、５０Ｈｚや６０Ｈｚである。商用交流電源からの電力は、蛍光灯安定器５０に供給される。
【００１４】
蛍光灯安定器５０は、例えば、周知の蛍光灯グロー安定器、蛍光灯ラピッド安定器、蛍光灯インバータ安定器等である。但し、後述のように、照明灯２は商用交流電源と直結可能に構成されており、その場合には蛍光灯安定器５０は不要となる。このように、照明灯２は、蛍光灯グロー安定器、蛍光灯ラピッド安定器、蛍光灯インバータ安定器、及び商用交流電源の何れとも接続可能に構成することができる。
【００１５】
ソケット５１は、凹型の端子５１１及び５１２を備えている。同様に、ソケット５２は、凹型の端子５２１及び５２２を備えている。但し、端子の一部は図１では図示されていない（後述の図８参照）。
【００１６】
照明灯２の口金２１の端子２１１及び２１２は、灯具５のソケット５１の端子５１１及び５１２に差し込まれて嵌合し、電気的に接続される。同様に、照明灯２の口金２２の端子２２１及び２２２は、灯具５のソケット５２の端子５２１及び５２２に差し込まれて嵌合し、電気的に接続される。
【００１７】
図２は、第１の実施の形態に係る照明灯を例示する横断面図である。図２に示すように、照明灯２において、円筒形の透光部２０の内部には、フレーム４１０が固定されている。フレーム４１０の一方側には、ＬＥＤモジュール２７が実装されたＬＥＤ基板４２０が着脱可能に装着されている。又、フレーム４１０の他方側にはホルダ４３０が設けられ、ホルダ４３０には整流回路２４及び２５やドライブ回路２６等が実装されたＤＲＶ基板４４０が着脱可能に装着されている。
【００１８】
フレーム４１０及びホルダ４３０は、長手方向において略同一の断面形状とされており、透光部２０の端部側から長手方向にスライドさせることで、透光部２０の内部に挿入可能に構成されている。同様に、ＬＥＤ基板４２０とＤＲＶ基板４４０は、長手方向において略同一の断面形状とされており、透光部２０の端部側から長手方向にスライドさせることで、透光部２０の内部に挿入可能に構成されている。
【００１９】
ＬＥＤ基板４２０とＤＲＶ基板４４０との間にホルダ４３０を設けることにより、ＤＲＶ基板４４０の熱がＬＥＤ基板４２０に伝わり難くなり、ＬＥＤモジュール２７に与える熱の影響が全てのＬＥＤで略均一になる。このため、時間の経過と共に部分的にＬＥＤの寿命が短くなる不都合を防止できる。
【００２０】
このように、照明灯２の形状は直管形の蛍光灯と類似しており、灯具５に取り付けられる既存の蛍光灯と容易に交換可能である。但し、照明灯２の形状は、蛍光灯と類似していなくても構わない。例えば、透光部２０の断面形状が円筒形でなく半円筒形等であってもよい。
【００２１】
図３は、第１の実施の形態に係る照明灯の回路ブロックを例示する図である。図３を参照するに、照明灯２は、主要部として、口金２１及び２２と、フィルタ回路２３と、整流回路２４及び２５と、ドライブ回路２６と、ＬＥＤモジュール２７とを有する。
【００２２】
フィルタ回路２３は、ＥＭＩ対策フィルタであり、照明灯２から周囲に発する電磁ノイズを低減するための回路である。フィルタ回路２３は、例えば、ライン間コンデンサ（Ｘコンデンサ）、対アースコンデンサ（Ｙコンデンサ）、コモンモードコイル、ノーマルモードコイル等を直列や並列に接続した回路とすることができる。照明灯２は、フィルタ回路２３を搭載することで、電磁ノイズを低減することが可能となり、ＥＭＩ（Electro-Magnetic Interference ）規格を満足することができる。
【００２３】
なお、照明灯２では、灯具５に内蔵された蛍光灯安定器５０が蛍光灯インバータ安定器である場合には、フィルタ回路２３に電流が流れない回路構成とされている。これについては、別途詳説する。
【００２４】
整流回路２４及び２５は、口金２１及び２２から直接、又はフィルタ回路２３を経由して供給される交流電圧を整流し、整流後の電圧をドライブ回路２６を介してＬＥＤモジュール２７に供給する回路である。
【００２５】
ドライブ回路２６は、複数の発光ダイオードを備えたＬＥＤモジュール２７を駆動する回路である。ドライブ回路２６は、例えば、昇降圧回路や定電流回路等を含む構成とすることができる。ドライブ回路２６を設けることで、整流回路２４及び２５から供給される電圧が変動してもＬＥＤモジュール２７に定格を超えない適正な電流を供給することが可能となり、ＬＥＤモジュール２７の故障を防止すると共に省電力を実現できる。
【００２６】
照明灯２は、蛍光灯グロー安定器、蛍光灯ラピッド安定器、蛍光灯インバータ安定器、及び商用交流電源の何れの電力供給部とも接続できるが、接続される対象により使用する回路を選択可能に構成されている。
【００２７】
又、図４に記載のように、フィルタ回路２３とは別に、高周波用フィルタ回路６３を設ける構成としてもよい。そして、インバータ検知回路２８及び切替回路６１を設け、インバータ検知回路２８が灯具５に内蔵された蛍光灯安定器５０が蛍光灯インバータ安定器であることを検知した場合には、切替回路６１により、高周波用フィルタ回路６３を通るようにしてもよい。これにより、フィルタ回路２３をバイパスしても、ＥＭＩノイズの問題は生じず、又、ＬＥＤモジュール２７に定格を超えない適正な電流を供給することが可能となる。又、蛍光灯安定器５０にフィルタ回路に相当する機能が備えられている場合もある。
【００２８】
なお、インバータ検知回路２８は、照明灯２が灯具５に接続されて通電された際に、灯具５に内蔵された蛍光灯安定器５０が蛍光灯インバータ安定器であるか否かを検知する回路である。蛍光灯安定器５０が蛍光灯インバータ安定器である場合、蛍光灯安定器５０から照明灯２に入力される信号の周波数は数１０ＫＨｚ程度の高周波である。
【００２９】
一方、蛍光灯安定器５０が蛍光灯グロー安定器、蛍光灯ラピッド安定器、商用交流電源の何れかである場合、蛍光灯安定器５０から（或いは、商用交流電源から直接）照明灯２に入力される信号の周波数は５０〜６０Ｈｚ程度の低周波である。そこで、インバータ検知回路２８は、例えば、照明灯２に入力される信号の周波数に基づいて、灯具５に内蔵された蛍光灯安定器５０が蛍光灯インバータ安定器であるか否かを検知することができる。
【００３０】
更に、図５に記載のように、ドライブ回路２６は、切替回路により、バイパス可能に構成されてもよい。切替回路は、例えば、リレーや半導体スイッチ（ＦＥＴ等）により構成することができる。インバータ検知回路２８が、灯具５に内蔵された蛍光灯安定器５０が蛍光灯インバータ安定器であることを検知した場合には、整流回路２４及び２５の出力は、ドライブ回路２６をバイパスしてＬＥＤモジュール２７に供給される。なお、図５の照明灯においても、インバータ検知回路２８が、灯具５に内蔵された蛍光灯安定器５０が蛍光灯インバータ安定器であることを検知した場合には、切替回路６１により、高周波用フィルタ回路を通るようにしてもよい。
【００３１】
更に、図６に記載のように、ドライブ回路２６とは別に、第２のドライブ回路６６を設ける構成にしてもよい。更に、図７に記載のように、照明灯２は、ラピッド検知回路２９を設ける構成にしてもよい。ラピッド検知回路２９は、照明灯２が灯具５に接続されて通電された際に、灯具５に内蔵された蛍光灯安定器５０が蛍光灯ラピッド安定器であるか否かを検知する回路である。
【００３２】
例えば、ラピッド検知回路２９が、灯具５に内蔵された蛍光灯安定器５０が蛍光灯ラピッド安定器であることを検知した場合には、フィルタ回路２３やドライブ回路２６はバイパスされないが、ドライブ回路２６の仕様が変更されるようにすることができる。
【００３３】
なお、インバータ検知回路２８が、蛍光灯安定器５０が蛍光灯インバータ安定器であることを検知せず、かつ、ラピッド検知回路２９が、蛍光灯安定器５０が蛍光灯ラピッド安定器であることを検知しない場合もある。この場合は、蛍光灯安定器５０が蛍光灯グロー安定器である、又は、蛍光灯安定器５０を介さず照明灯２が商用交流電源に直結されたと認識し、口金２１及び２２を介して照明灯２に入力された信号はフィルタ回路２３を経由して整流回路２４及び２５に供給される。そして、整流回路２４及び２５の出力は、ドライブ回路２６を経由してＬＥＤモジュール２７に供給される。又、ドライブ回路２６の仕様は、蛍光灯グロー安定器及び商用交流電源に適合したものが選択される。
【００３４】
図６及び図７の照明灯においても、インバータ検知回路２８が、灯具５に内蔵された蛍光灯安定器５０が蛍光灯インバータ安定器であることを検知した場合には、切替回路６１により、高周波用フィルタ回路を通るようにしてもよい。
【００３５】
以上、図３乃至図７を参照しながら、照明灯２に搭載される回路ブロックの全体的な動作の概略を説明した。次に、図８を参照しながら、照明灯２の特徴的な動作について説明する。なお、図８では、本実施の形態に係る照明灯２の主要な回路の結線のみを示し、特徴的な動作に関係しない部分の結線については図示を省略している。
【００３６】
図８において、照明灯２の口金２１の端子２１１及び２１２は、灯具５のソケット５１の端子５１１及び５１２に差し込まれて嵌合し、電気的に接続されている。同様に、照明灯２の口金２２の端子２２１及び２２２は、灯具５のソケット５２の端子５２１及び５２２に差し込まれて嵌合し、電気的に接続されている。
【００３７】
照明灯２の口金２１の端子２１１と端子２１２との間には、抵抗２１５（第１の抵抗）とコンデンサ２１６（第１のコンデンサ）が並列接続されている。同様に、照明灯２の口金２２の端子２２１と端子２２２との間には、抵抗２２５（第２の抵抗）とコンデンサ２２６（第２のコンデンサ）が並列接続されている。
【００３８】
抵抗２１５及び２２５は、蛍光灯のフィラメントに相当するインピーダンスを生成する回路である。抵抗２１５及び２２５の抵抗値を、蛍光灯のフィラメントに相当する適切なインピーダンス（数Ω〜数１００Ω程度）とすることにより、照明灯２を蛍光灯インバータ安定器と接続した際に安定して点灯させることができる。コンデンサ２１６及び２２６、インダクタ２１９及び２２９の機能については後述する。
【００３９】
口金２１の端子２１１は、直接整流回路２４と接続されている。又、口金２１の端子２１２と整流回路２４の一方の入力部との間には、フィルタ回路２３が挿入されている。同様に、口金２２の端子２２２は、直接整流回路２５と接続されている。又、口金２２の端子２２１と整流回路２５の一方の入力部との間には、フィルタ回路２３が挿入されている。フィルタ回路２３は、例えば、コンデンサ２３１、コイル２３２、及びコンデンサ２３３を備えた構成とすることができる。
【００４０】
更に、フィルタ回路２３の入力部には、低周波通過フィルタであるインダクタ２１９及び２２９が設けられている。インダクタ２１９及び２２９は、蛍光灯インバータ安定器から供給される交流電圧を遮断すると共に、商用交流電源等から供給される交流電圧を通過させるように構成されている。
【００４１】
整流回路２４及び２５は、例えば、逆回復時間が短い所謂ファーストリカバリダイオード等を用いて構成されたブリッジ型全波整流回路である。整流回路２４は、２つの入力部を備え、口金２１の一対の端子２１１及び２１２から供給される交流電圧を整流する。整流回路２５は、２つの入力部を備え、口金２２の一対の端子２２１及び２２２から供給される交流電圧を整流する。
【００４２】
整流回路２４及び２５は、蛍光灯安定器５０が蛍光灯インバータ安定器以外である場合、口金２１及び２２からフィルタ回路２３を経由して入力される交流電圧を整流する。そして、整流回路２４及び２５により整流された整流後の電圧は、整流回路２４及び２５の出力部である正側配線３１及び負側配線３２を介してドライブ回路２６（図８では図示せず）を経由して、ＬＥＤモジュール２７の両端に供給される。
【００４３】
一方、整流回路２４及び２５は、蛍光灯安定器５０が蛍光灯インバータ安定器である場合、フィルタ回路２３を経由せずに蛍光灯インバータ安定器から直接入力される交流電圧を整流する。そして、整流回路２４及び２５により整流された整流後の電圧は、正側配線３１及び負側配線３２に出力され、ドライブ回路２６をバイパスして、ＬＥＤモジュール２７の両端に供給される。
【００４４】
ＬＥＤモジュール２７は、複数の発光ダイオード２７１が正側配線３１と負側配線３２との間に直列に接続された直列接続部（図８では６個の発光ダイオード２７１を直列に接続）を複数個有している。そして、各直列接続部は、複数列並列に接続されている。正側配線３１と負側配線３２との間の電圧が、直列接続部を構成する複数の発光ダイオード２７１の順方向電圧の総和を超えると、各発光ダイオード２７１に電流が流れて発光する。
【００４５】
ところで、蛍光灯インバータ安定器によって、口金２１の端子２１１及び口金２２の端子２２２を使用して蛍光灯側に給電する第１のタイプと、照明灯２の口金２１の端子２１２及び口金２２の端子２２１を使用して蛍光灯側に給電する第２のタイプとが存在する。更に、口金２１の端子２１１及び口金２２の端子２２１を使用して蛍光灯側に給電する第３のタイプと、照明灯２の口金２１の端子２１２及び口金２２の端子２２２を使用して蛍光灯側に給電する第４のタイプとが存在する。
【００４６】
照明灯２では、第１のタイプの蛍光灯インバータ安定器が接続された場合には、図９の給電経路Ａのように給電が行われ、コンデンサ２１６及び２２６は給電経路とはならない。
【００４７】
これに対して、第２のタイプの蛍光灯インバータ安定器が接続された場合には、図１０の給電経路Ｂのように給電が行われる。すなわち、蛍光灯安定器５０から照明灯２に入力される信号（周波数が数１０ＫＨｚ程度の高周波の信号）は、インダクタ２１９及び２２９により遮断され、コンデンサ２１６及び２２６を経由して整流回路２４及び２５側に供給される。
【００４８】
又、第３のタイプの蛍光灯インバータ安定器が接続された場合には、図１１の給電経路Ｃのように給電が行われる。すなわち、蛍光灯安定器５０から口金２１の端子２１１を経由して照明灯２に入力される信号（周波数が数１０ＫＨｚ程度の高周波の信号）は、コンデンサ２１６を給電経路とせずに直接整流回路２４側に供給される。一方、口金２２の端子２２１を経由して照明灯２に入力される信号（周波数が数１０ＫＨｚ程度の高周波の信号）は、インダクタ２２９により遮断され、コンデンサ２２６を経由して整流回路２５側に供給される。
【００４９】
又、第４のタイプの蛍光灯インバータ安定器が接続された場合には、図１２の給電経路Ｄのように給電が行われる。すなわち、蛍光灯安定器５０から口金２１の端子２１２を経由して照明灯２に入力される信号（周波数が数１０ＫＨｚ程度の高周波の信号）は、インダクタ２１９により遮断され、コンデンサ２１６を経由して整流回路２４側に供給される。一方、口金２２の端子２２２を経由して照明灯２に入力される信号（周波数が数１０ＫＨｚ程度の高周波の信号）は、コンデンサ２２６を給電経路とせずに直接整流回路２５側に供給される。
【００５０】
又、蛍光灯安定器５０が商用交流電源である場合、照明灯２の口金２１の端子２１２及び口金２２の端子２２１を使用して給電するように端子指定が行われている。蛍光灯安定器５０から（或いは、商用交流電源から直接）照明灯２に入力される信号の周波数は５０〜６０Ｈｚ程度の低周波である。この場合には、図１３の給電経路Ｅのように給電が行われる。
【００５１】
すなわち、蛍光灯安定器５０から口金２１の端子２１２及び口金２２の端子２２１を介して照明灯２に入力される信号（周波数が５０〜６０Ｈｚ程度の低周波の信号）は、抵抗２１５及び２２５、コンデンサ２１６及び２２６により遮断される。そして、インダクタ２１９及び２２９を経由し、更にフィルタ回路２３を経由して整流回路２４及び２５側に供給される。
【００５２】
なお、蛍光灯安定器５０が蛍光灯グロー安定器又は蛍光灯ラピッド安定器である場合、蛍光灯安定器５０内に銅鉄巻線（大きなインダクタ／トランス）を有するため、蛍光灯安定器５０自体がＥＭＩノイズ低減効果を持っている。そのため、図９〜図１３に示した何れの給電経路を通ってもよい。つまり、蛍光灯安定器５０が蛍光灯グロー安定器又は蛍光灯ラピッド安定器である場合には、フィルタ回路２３を経由しても経由しなくてもよい。
【００５３】
コンデンサ２１６及び２２６の容量、インダクタ２１９及び２２９のインダクタンスは、以上の給電経路Ａ〜Ｅを実現できるような値に設定する必要がある。
【００５４】
すなわち、コンデンサ２１６及び２２６は、蛍光灯安定器５０から照明灯２に入力される高周波の信号（周波数が数１０ＫＨｚ程度の高周波の信号）に対してインピーダンスが十分低くなる値に設定する必要がある。かつ、低周波の信号（周波数が５０〜６０Ｈｚ程度の低周波の信号）に対してインピーダンスが十分に高くなる値に設定する必要がある。この要件を満たすために、コンデンサ２１６及び２２６の容量は、０．１μＦ以上１μＦ以下とすることが好ましい。
【００５５】
又、インダクタ２１９及び２２９は、蛍光灯安定器５０から照明灯２に入力される高周波の信号（周波数が数１０ＫＨｚ程度の高周波の信号）に対してインピーダンスが十分高くなる値に設定する必要がある。かつ、低周波の信号（周波数が５０〜６０Ｈｚ程度の低周波の信号）に対してインピーダンスが十分に低くなる値に設定する必要がある。この要件を満たすために、インダクタ２１９及び２２９のインダクタンスは、５００μＨ以上５ｍＨ以下とすることが好ましい。
【００５６】
なお、フィルタ回路２３の入力部にインダクタ２１９及び２２９が挿入されていない場合には、蛍光灯インバータ安定器の起動時にフィルタ回路２３のコンデンサ２３１に電流が流れる。この場合、蛍光灯インバータ安定器が異常を検出して保護動作を行い、照明灯２が不点灯となるおそれがある。
【００５７】
本実施の形態では、フィルタ回路２３の入力部にインダクタ２１９及び２２９が挿入されているため、蛍光灯インバータ安定器とフィルタ回路２３とが未接続の状態となる。これにより、蛍光灯インバータ安定器の起動時にフィルタ回路２３のコンデンサ２３１に電流が流れないため、蛍光灯インバータ安定器の保護動作により、照明灯２が不点灯となることを回避できる。
【００５８】
なお、図４に記載のように、高周波用フィルタ回路６３を設けることにより、フィルタ回路２３をバイパスしても、ＥＭＩノイズの問題は生じず、又、ＬＥＤモジュール２７に定格を超えない適正な電流を供給することが可能である。又、蛍光灯安定器５０にフィルタ回路に相当する機能が備えられている場合もある。
【００５９】
一方、蛍光灯安定器５０が商用交流電源である場合、蛍光灯安定器５０からの低周波の信号は、インダクタ２１９及び２２９を通過してフィルタ回路２３に入力される。そして、フィルタ回路２３でフィルタリングされた信号が整流回路２４及び２５に供給される。そして、整流回路２４及び２５の出力は、ドライブ回路２６を経由してＬＥＤモジュール２７に供給される。このように、フィルタ回路２３が作動するため、ＥＭＩ規格を満足することができる。
【００６０】
又、従来は、フィルタ回路２３を設ける場合には、蛍光灯安定器５０が蛍光灯インバータ安定器である場合と、それ以外である場合とで、フィルタ回路２３をバイパスするか否かを切り替える切替回路を設けていた。そして、切替回路は、例えば、リレーや半導体スイッチ（ＦＥＴ等）により構成されていた。本実施の形態では、インダクタ２１９及び２２９を設けることで、リレーや半導体スイッチ（ＦＥＴ等）からなる切替回路が不要となるため、照明灯２のコスト低減に寄与できる。
【００６１】
以上、好ましい実施の形態及びその変形例について詳説したが、上述した実施の形態及びその変形例に制限されることはなく、特許請求の範囲に記載された範囲を逸脱することなく、上述した実施の形態及びその変形例に種々の変形及び置換を加えることができる。
【００６２】
例えば、上記実施の形態では、照明灯の例として、蛍光灯グロー安定器、蛍光灯ラピッド安定器、蛍光灯インバータ安定器、及び商用交流電源の何れの電力供給部とも接続できるものを示した。しかし、本発明は、蛍光灯インバータ安定器を含む２種類以上の方式の異なる電力供給部に接続可能な照明灯に適用できる。
【００６３】
又、蛍光灯安定器５０から照明灯２に入力される高周波の信号に対してインピーダンスが十分高く、かつ、低周波の信号に対してインピーダンスが十分低くければ、低周波通過フィルタは、インダクタ以外の素子により構成してもよい。或いは、インダクタとインダクタ以外の素子とを組み合わせた構成としてもよい。
【符号の説明】
【００６４】
１  照明装置
２  照明灯
５  灯具
２０  透光部
２１、２２  口金
２３  フィルタ回路
２４、２５  整流回路
２６  ドライブ回路
２７  ＬＥＤモジュール
２８  インバータ検知回路
２９  ラピッド検知回路
３１  正側配線
３２  負側配線
５０  蛍光灯安定器
５１、５２  ソケット
６１  切替回路
６３  高周波用フィルタ回路
６６  第２のドライブ回路
２１１、２１２、２２１、２２２、５１１、５１２、５２１、５２２  端子
２１５、２２５  抵抗
２１６、２２６、２３１、２３３  コンデンサ
２１９、２２９  インダクタ
２３２  コイル
２７１  発光ダイオード
４１０  フレーム
４２０  ＬＥＤ基板
４３０  ホルダ
４４０  ＤＲＶ基板
【先行技術文献】
【特許文献】
【００６５】
【特許文献１】特許第５１０８９９４号
【要約】      （修正有）【課題】発光ダイオードを備えた照明灯において、ノイズを低減するフィルタ回路を搭載すると共に、蛍光灯インバータ安定器と接続した際に安定して点灯させる。【解決手段】第１および第２の口金２１、２２の一対の端子５１１、５１２、５２１、５２２から供給される交流電圧を整流し、整流後の電圧を発光ダイオード２７１に供給する第１及び第２の整流回路２４、２５と、第１及び第２の口金２１、２２の一対の端子５１１、５１２、５２１、５２２の何れか一方と第１及び第２の整流回路２４、２５の何れか一方の入力部との間に挿入された、ノイズを低減するフィルタ回路２３と、フィルタ回路２３の入力部に設けられた低周波通過フィルタ２１９、２２９と、を有し、低周波通過フィルタ２１９、２２９は、蛍光灯インバータ安定器５０から供給される交流電圧を遮断すると共に、商用交流電源から供給される交流電圧を通過させる。【選択図】図８【図１】
0005924437.tif 000002
【図２】
0005924437.tif 000003
【図３】
0005924437.tif 000004
【図４】
0005924437.tif 000005
【図５】
0005924437.tif 000006
【図６】
0005924437.tif 000007
【図７】
0005924437.tif 000008
【図８】
0005924437.tif 000009
【図９】
0005924437.tif 000010
【図１０】
0005924437.tif 000011
【図１１】
0005924437.tif 000012
【図１２】
0005924437.tif 000013
【図１３】
0005924437.tif 000014